(57)【要約】【課題】ゴルフスクール等で行われるゴルフレッスンをより効率的、効果的に行うための支援を行うゴルフレッスン支援システムを提供する。【解決手段】クライアント装置において、送信手段は入力された認証情報及びカルテ情報の閲覧要求を管理サーバに送信し、受信手段は管理サーバから送信されたカルテ情報を受信し、閲覧手段は受信したカルテ情報を閲覧させる。また、管理サーバにおいて、記憶手段は認証を行うためのユーザ情報と、当該ユーザのレッスンカルテの内容及びゴルフスイングの動画情報を含むカルテ情報とを対応付けて記憶し、認証手段は送信された認証情報と記憶手段により記憶されたユーザ情報とに基づいてユーザの認証を行い、取得手段はユーザが認証された場合に当該ユーザのカルテ情報を記憶手段から取得し、カルテ情報送信手段は取得した当該ユーザのカルテ情報をクライアント装置に送信する。【選択図】図１
2009268764.tif 000002
【特許請求の範囲】
【請求項１】
ユーザにより操作されるクライアント装置と、当該クライアント装置とインターネットを介して接続される管理サーバと、を備え、ユーザのゴルフレッスンに関するカルテ情報を閲覧可能にすることでゴルフレッスンを支援するゴルフレッスン支援システムにおいて、
前記クライアント装置は、
認証情報を入力する入力手段と、
前記入力手段により入力された前記認証情報及び前記カルテ情報の閲覧要求を前記管理サーバに送信する送信手段と、
前記管理サーバから送信された前記カルテ情報を受信する受信手段と、
前記受信手段により受信された前記カルテ情報を閲覧するための閲覧手段と、を備え、
前記管理サーバは、
認証を行うためのユーザ情報と前記カルテ情報とを対応付けて記憶する記憶手段と、
前記送信手段により送信された前記認証情報と、前記記憶手段により記憶された前記ユーザ情報とに基づいて、ユーザの認証を行う認証手段と、
前記認証手段によりユーザが認証された場合に、前記カルテ情報の閲覧要求に基づいて、当該ユーザのカルテ情報を前記記憶手段から取得する取得手段と、
前記取得手段により取得された当該ユーザのカルテ情報を前記クライアント装置に送信するカルテ情報送信手段と、を備え、
前記カルテ情報には、当該ユーザのレッスンカルテの内容及びゴルフスイングの動画情報が含まれることを特徴とするゴルフレッスン支援システム。
【請求項２】
前記管理サーバは、第１管理サーバと、当該第１管理サーバにＶＰＮ接続されるとともに、前記クライアント装置とインターネット接続される第２管理サーバと、を備え、
前記第１管理サーバは、前記ユーザ情報と前記カルテ情報とを対応付けて記憶し、
前記第２管理サーバは、前記ユーザ情報を記憶することを特徴とする請求項１に記載のゴルフレッスン支援システム。
【請求項３】
複数のレッスン項目から選択された選択レッスン項目に対応する前記カルテ情報を作成する作成手段を備えることを特徴とする請求項１又は２に記載のゴルフレッスン支援システム。
【発明の詳細な説明】
【技術分野】
【０００１】
本発明は、ゴルフスクール等におけるゴルフレッスンを支援するゴルフレッスン支援システムに関する。
【背景技術】
【０００２】
ゴルフのレッスンでは、自分自身のスイングの様子を撮像した画像を見ることで、自分のスイングの改善点を探る練習方法が有効である。
【０００３】
このような練習方法は既に広く実施されており、例えば、特許文献１には、テレビカメラによりスイングの様子を撮像して、これをモニターに繰り返し表示することにより、スイングのフォームを自ら確認しながら練習を行うことができるゴルフスイングチェッカーが開示されている。
一方、より早い上達を望むのならば、インストラクターに直接指導をしてもらう方法が望ましい。そこで、ゴルフスクール等では、インストラクターが指導内容を記したカルテ等を顧客に提示して指導を行うことがある。
【特許文献１】特開平０６−２６９５２９号公報
【発明の開示】
【発明が解決しようとする課題】
【０００４】
しかしながら、従来のゴルフスクールでは、顧客自身のスイング画像と指導カルテの内容とが別個になっており、それらの情報を一元的に顧客が見られるシステムとなっておらず、ゴルフレッスンが必ずしも効率的、効果的に行われていないという問題があった。すなわち、顧客のスイング画像があった方が、指導側にとって指導が容易であり、また、指導を受ける顧客側にとっても、どこをどのように改善すべきか等をスムーズに理解することができる。
【０００５】
本発明の課題は、ゴルフスクール等で行われるゴルフレッスンをより効率的、効果的に行うための支援を行うゴルフレッスン支援システムを提供することである。
【課題を解決するための手段】
【０００６】
上記課題を解決するため、請求項１に記載の発明は、ユーザにより操作されるクライアント装置と、当該クライアント装置とインターネットを介して接続される管理サーバと、を備え、ユーザのゴルフレッスンに関するカルテ情報を閲覧可能にすることでゴルフレッスンを支援するゴルフレッスン支援システムにおいて、
前記クライアント装置は、
認証情報を入力する入力手段と、
前記入力手段により入力された認証情報及び前記カルテ情報の閲覧要求を前記管理サーバに送信する送信手段と、
前記管理サーバから送信された前記カルテ情報を受信する受信手段と、
前記受信手段により受信された前記カルテ情報を閲覧するための閲覧手段と、を備え、
前記管理サーバは、
認証を行うためのユーザ情報と前記カルテ情報とを対応付けて記憶する記憶手段と、
前記送信手段により送信された前記認証情報と、前記記憶手段により記憶された前記ユーザ情報とに基づいて、ユーザの認証を行う認証手段と、
前記認証手段によりユーザが認証された場合に、前記カルテ情報の閲覧要求に基づいて、当該ユーザのカルテ情報を前記記憶手段から取得する取得手段と、
前記取得手段により取得された当該ユーザのカルテ情報を前記クライアント装置に送信するカルテ情報送信手段と、を備え、
前記カルテ情報には、当該ユーザのレッスンカルテの内容及びゴルフスイングの動画情報が含まれることを特徴とする。
【０００７】
請求項２に記載の発明は、請求項１に記載のゴルフレッスン支援システムにおいて、前記管理サーバは、第１管理サーバと、当該第１管理サーバにＶＰＮ接続されるとともに、前記クライアント装置とインターネット接続される第２管理サーバと、を備え、
前記第１管理サーバは、前記ユーザ情報と前記カルテ情報とを対応付けて記憶し、
前記第２管理サーバは、前記ユーザ情報を記憶することを特徴とする。
【０００８】
請求項３に記載の発明は、請求項１又は２に記載のゴルフレッスン支援システムにおいて、複数のレッスン項目から選択された選択レッスン項目に対応する前記カルテ情報を作成する作成手段を備えることを特徴とする。
【発明の効果】
【０００９】
本発明によれば、クライアント装置において、入力手段により、認証情報が入力され、送信手段により、入力手段により入力された認証情報及びカルテ情報の閲覧要求が管理サーバに送信され、受信手段により、管理サーバから送信されたカルテ情報が受信され、閲覧手段により、受信手段により受信されたカルテ情報が閲覧される。また、管理サーバにおいて、記憶手段により、認証を行うためのユーザ情報とカルテ情報とが対応付けて記憶され、認証手段により、送信手段により送信された認証情報と記憶手段により記憶されたユーザ情報とに基づいて、ユーザの認証が行われ、取得手段により、認証手段によりユーザが認証された場合に、カルテ情報の閲覧要求に基づいて、当該ユーザのカルテ情報が記憶手段から取得され、カルテ情報送信手段により、取得手段により取得された当該ユーザのカルテ情報がクライアント装置に送信される。さらに、カルテ情報には、当該ユーザのレッスンカルテの内容及びゴルフスイングの動画情報が含まれる。
すなわち、クライアント装置においてユーザがカルテ情報の閲覧要求を行うと、管理サーバからカルテ情報をダウンロードして閲覧することができるため、場所的、時間的な制約無しにカルテ情報の閲覧が可能となる。また、このカルテ情報には、ユーザのレッスンカルテの内容とゴルフスイングの動画情報が含まれているため、ユーザは、動画を見ながらカルテを参照することで、どこをどのように改善すべきか等の改善点をよりスムーズに理解することができ、指導側にとっても動画を用いてより容易且つ的確に指導を行うことができる。したがって、本発明のゴルフレッスン支援システムを用いることで、ゴルフスクール等で行われるゴルフレッスンをより効率的、効果的に行うことが可能となる。
【発明を実施するための最良の形態】
【００１０】
以下、本発明の実施の形態について、図面を参照しながら説明する。
本実施形態のゴルフレッスン支援システムＳは、図１に示すように、本システムを用いてゴルフレッスンのサービスを提供する本社クライアント１、本社クライアント１とＬＡＮ(Local Area Network)等の通信網により接続される第１管理サーバ（管理サーバ）２、第１管理サーバ２とＶＰＮ(Virtual Private Network)により接続される第２管理サーバ（管理サーバ）３、第２管理サーバ３にインターネットを介して接続され、ゴルフレッスンの受講者であるユーザが使用するクライアント装置４等から構成される。
【００１１】
第１管理サーバ２及び第２管理サーバ３は、ＶＰＮにより接続される。ＶＰＮは、インターネットや通信事業者が提供する公衆回線等の共有ネットワークの中に仮想的に構築される専用ネットワークである。ＶＰＮ機能を有する第１管理サーバ２及び第２管理サーバ３の間ではパケットを暗号化して伝送しており、セキュリティ性に優れている。
また、第１管理サーバ２には、カルテ情報や顧客情報等、ゴルフレッスンのサービス提供に用いられる全ての情報が格納され、第２管理サーバ３には、ゴルフレッスンの受講者であるユーザにカルテ情報の閲覧やレッスンの予約等の各種サービスを提供するためのホームページが開設されている。ここで、本実施形態では、グローバルＩＰアドレスを第２管理サーバ３のみに割り当てることとし、第２管理サーバ３においてアクセスしたユーザに各種サービスを提供する際に、カルテ情報を取得する場合等の限られた場合のみ第１管理サーバ２との通信を行うことで、セキュリティ性が更に高まることとなる。
【００１２】
本社クライアント１は、例えば、ゴルフスクール等に設置され、撮像部１１、作成手段としてのカルテ作成部１２、通信部１３、ＣＰＵ等から構成される処理部１４等を備える。
撮像部１１は、ユーザがゴルフレッスンを受講する際、ユーザのスイングの様子を撮像する。
カルテ作成部１２は、表示装置や入力装置等により構成され、ゴルフレッスンの終了後に、インストラクターが、レッスンの内容と撮像部１１により取得された動画データとに基づいてカルテ情報を作成するための機能を提供する。
通信部１３は、第１管理サーバ２に接続され、カルテ作成部１２により作成されたカルテ情報を第１管理サーバ２に送信する。第１管理サーバ２に送信されたカルテ情報は、カルテ情報ＤＢ２２に登録されることとなる。
【００１３】
クライアント装置４は、ゴルフスクール等に設置された専用端末や、ゴルフスクールを受講するユーザが自宅や外出先で使用可能なＰＣ（Personal Computer）、携帯電話機、ＰＤＡ(Personal Digital Assistants)等であり、入力手段としての入力部４１、送信手段及び受信手段としての通信部４２、閲覧手段としての表示部４３、ＣＰＵ(Central Processing Unit)等から構成される処理部４４を備える。
入力部４１は、例えば、文字キーや数字キー等の各種キーを備えるキーボードや、タッチパネル、スタイラスペン等から構成される。ユーザは、カルテ情報の閲覧を希望する場合、まず、第２管理サーバ３に開設されているホームページのアドレスを入力してホームページにアクセスする。すると、第２管理サーバ３からホームページ画像が送信され、表示部４３に表示される。このホームページ画像は、認証情報の入力を求める入力欄を有しており、ユーザは入力部４１を操作して、認証情報としてのユーザ名、ユーザＩＤ、パスワード等を入力欄に入力して、カルテ情報の閲覧要求を行う。
通信部４２は、第２管理サーバ３とインターネットを介して接続され、入力部４１において入力された認証情報やカルテ情報の閲覧要求を第２管理サーバ３に送信する。また、カルテ情報の閲覧要求に応じて第２管理サーバ３から送られたカルテ情報を受信する。
表示部４３は、第２管理サーバ３から送信されたホームページ画像の他、第２管理サーバ３から送信されたカルテ情報を表示する。なお、閲覧手段として、カルテ情報を印刷するプリンタ等の出力部を備えていても良い。
【００１４】
第２管理サーバ３は、カルテ情報送信手段としての通信部３１、記憶手段の一部を構成するユーザ情報ＤＢ３２、予約情報ＤＢ３３、ＣＰＵ等から構成される認証手段としての処理部３４等を備える。
通信部３１は、クライアント装置４と第１管理サーバ２のそれぞれに接続されており、クライアント装置４から送信された認証情報を受信する。
ユーザ情報ＤＢ３２は、ユーザの認証に用いるユーザ情報として、例えば、ユーザＩＤ、ユーザ名、パスワード等を記憶する。このユーザ情報は、第１管理サーバ２のカルテ情報ＤＢ２２に記憶されているユーザ情報と同一であり、カルテ情報ＤＢ２２の更新に連動して自動的に更新されるようになっている。
予約情報ＤＢ３３は、ゴルフスクールにおける各日程の予約状況や、各ユーザの予約状況を記憶する。なお、この予約情報ＤＢ３３は、第１管理サーバ２の予約情報ＤＢ２４と連動しているため、ユーザがホームページ上でレッスンの予約を行う際に、第１管理サーバ２にアクセスすることなく予約処理を行うことができる。
認証手段としての処理部３４は、クライアント装置４から送信された認証情報としてのユーザ名、ユーザＩＤ、パスワードと、ユーザ情報ＤＢ３２により記憶されたユーザ情報とを照合し、ユーザの認証を行う。ユーザが認証された場合、通信部３１を介して、第１管理サーバ２にカルテ情報の閲覧要求を転送する。なお、上述したように、ユーザ情報ＤＢ３２には、第１管理サーバ２のカルテ情報ＤＢ２２に記憶されたユーザ情報と同一のユーザ情報が記憶されているため、第１管理サーバ２にアクセスすることなく、認証を行うことができる。
【００１５】
第１管理サーバ２は、カルテ情報送信手段としての通信部２１、記憶手段としてのカルテ情報ＤＢ２２、顧客情報ＤＢ２３、予約情報ＤＢ２４、ＣＰＵ等から構成される取得手段としての処理部２５等を備える。
通信部２１は、本社クライアント１及び第２管理サーバ３のそれぞれに接続されており、本社クライアント１から送られたカルテ情報を受信する。また、クライアント装置４からのカルテ情報の閲覧要求に応じて、カルテ情報ＤＢ２２から取得したカルテ情報を第１管理サーバ２に送信する。
カルテ情報ＤＢ２２は、ユーザの認証を行うためのユーザ情報とカルテ情報とを対応づけて記憶している。本社クライアント１から送られたカルテ情報は、カルテ情報ＤＢ２２においてユーザ情報に対応付けられて記憶される。
顧客情報ＤＢ２３は、ゴルフレッスンの受講者として登録されているユーザに関する各種の情報（例えば、ユーザＩＤ、ユーザ名、パスワード、連絡先、住所等）を記憶する。
予約情報ＤＢ２４は、ゴルフスクールにおける各日程の予約状況や、各ユーザの予約状況を記憶する。
取得手段としての処理部２５は、第１管理サーバ２の認証手段によりユーザが認証された場合に、カルテ情報の閲覧要求に基づいて、当該ユーザのカルテ情報をカルテ情報ＤＢ２２から取得する。取得されたカルテ情報は、通信部２１により第２管理サーバ３に送信され、更に、閲覧要求を行ったクライアント装置４に転送される。
【００１６】
ここで、図２のフローチャートを参照しながら、本ゴルフレッスン支援システムＳを用いたゴルフレッスンの提供の流れについて説明する。
まず、ゴルフスクール等の店頭に顧客が来店すると（ステップＳ１）、担当者からレッスンの概要が顧客に説明される（ステップＳ２）。顧客は、初めにスイングチェックを申し込み（ステップＳ３）、スイングチェックを受ける（ステップＳ４）。次に、スイングチェックに基づいてインストラクターと顧客との間でミーティングを行い（ステップＳ５）、インストラクターはスイングチェックカルテを作成する（ステップＳ６）。その後、顧客は、選択レッスン項目を選択するとともに（後述）、受講するレッスンパックを選択する（ステップＳ７）。さらに、入会の申し込みを行って、選択したレッスンパックを購入する（ステップＳ８）。入会の申し込みが行われると、カルテ情報等を格納するための個人フォルダを第１管理サーバ２に作成し、スイングチェックカルテをインターネット上に保存する（ステップＳ９）。次に、店頭や電話、ホームページ上でレッスンの予約を受け付け（ステップＳ１０）、予約データを第１管理サーバ２の予約情報ＤＢ２４に保存する（ステップＳ１１）。その後、レッスンが行われると（ステップＳ１２）、レッスン終了後に、インストラクターは、レッスンの内容とレッスン中に撮像された撮像画像データに基づいてカルテ情報を作成し、作成したカルテ情報をカルテ情報ＤＢ２２に保存する（ステップＳ１３）。その後、ユーザは、第２管理サーバ３に開設されたホームページにアクセスして、カルテ情報の閲覧要求を行うことで、カルテ情報をダウンロードして閲覧する（ステップＳ１４）。
【００１７】
次に、図３及び図４のフローチャートを参照しながら、図２のフローチャートのステップＳ１２〜ステップＳ１４に示すカルテ情報の作成・保存・閲覧の流れについて、より詳細に説明する。
まず、本社クライアント１は、ゴルフスクール等においてゴルフレッスンが実施されると（ステップＳ１１）、レッスン中に、撮像部１１によりユーザのスイングの様子を撮像して、動画情報を取得する（ステップＳ１２）。ゴルフレッスンの終了後に、インストラクターは、レッスンの内容と、撮像部１１により取得したユーザのスイングの様子を撮像した動画情報とに基づいてカルテ情報を作成する（ステップＳ１３）。さらに、作成したカルテ情報を通信部１３により第１管理サーバ２に送信する（ステップＳ１４）。次に、第１管理サーバ２は、本社クライアント１から送信されたカルテ情報を通信部２１において受信すると（ステップＳ１５）、受信したカルテ情報を、ユーザ情報と対応付けてカルテ情報ＤＢ２２に登録する（ステップＳ１６）。次に、クライアント装置４において、カルテ情報の閲覧を希望するユーザが入力部４１を操作して認証情報を入力すると（ステップＳ１７）、入力された認証情報とカルテ情報の閲覧要求が、通信部４２により第２管理サーバ３に送信される（ステップＳ１８）。第２管理サーバ３は、クライアント装置４から送信された認証情報とカルテ情報の閲覧要求を通信部３１において受信すると（ステップＳ１９）、受信した認証情報と、ユーザ情報ＤＢ３２に記憶されたユーザ情報とを照合して、ユーザの認証を行う（ステップＳ２０）。そして、ユーザが認証された場合、カルテ情報閲覧要求を通信部３１により第１管理サーバ２に送信する（ステップＳ２１）。第１管理サーバ２は、第２管理サーバ３から送信されたカルテ情報の閲覧要求を通信部２１において受信すると（ステップＳ２２）、カルテ情報ＤＢ２２から、ユーザ情報をキーに該当するカルテ情報を取得し（ステップＳ２３）、取得したカルテ情報を通信部２１により第１管理サーバ２に送信する（ステップＳ２４）。第２管理サーバ３は、第１管理サーバ２から送信されたカルテ情報を通信部３１において受信すると（ステップＳ２５）、このカルテ情報を通信部３１によりクライアント装置４に送信する（ステップＳ２６）。クライアント装置４は、第２管理サーバ３から送信されたカルテ情報を通信部４２において受信すると（ステップＳ２７）、受信したカルテ情報を表示部４３に表示させる等してユーザに閲覧させ（ステップＳ２８）、本処理を終了する。
【００１８】
ここで、図５は、図２のステップＳ７において選択可能な選択レッスン項目について説明する図である。選択レッスン項目は、ゴルフスイングの流れを複数の分野に分割するとともに、各分野を、習得すべき詳細な技術要素に分割したものである。ユーザが、各分野から習得したいレッスン項目を選択すると、選択された選択レッスン項目にしたがって、レッスンとカルテ情報の作成とが行われる。したがって、ユーザは、分野毎に選択した各レッスン項目に応じて指導を受けることができ、複数の分野から成るスイングの流れを、段階的に習得して、ゴルフの上達を図ることができる。図５では、スイングの流れが、「アドレス」、「始動〜バックスイング」、「トップ〜ダウンスイング」、「インパクト」、「フォロー〜フィニッシュ」、「全体（基本）」の６つの技術分野に大別され、さらに、各分野が複数のレッスン項目に分類されている。
【００１９】
また、図６は、カルテ作成部１２により作成され、クライアント装置４においてユーザにより閲覧されるカルテ情報の例示である。このカルテ情報は、カルテ作成部１２により、選択された選択レッスン項目に対応して自動的に作成された雛型に基づいて作成されたものである。図６のカルテ情報は、会員番号や氏名、レッスン日時等の他、選択された選択レッスン項目（例えば、「バックスイングの軌道をアウトサイドへ」）が記載されている。また、レッスン中に撮像されたユーザ自身のスイング画像や、改善点等のコメント、ユーザが自宅等で復習できるように今後の練習方法を示す推奨ドリル、飛球分析等が記されている。また、ユーザ自身のスイング画像とともに、インストラクターやプロゴルファー等のモデルのスイング画像が同一画面上に表示されており、自分自身のスイングをモデルのスイングと比較できるようになっている。また、カルテ情報には動画ボタンが備わり、ユーザが動画ボタンをクリックすると、ユーザのスイング動画とモデルのスイング動画とが再生される。さらに、図６のカルテ情報はユーザ本人が記載するコメント欄を有しており、ユーザはコメント欄に質問や感想、今後の目標等のコメントを入力して指導側に送り返すことができる。
【００２０】
以上説明した本実施形態におけるゴルフレッスン支援システムＳによれば、クライアント装置４において、入力部４１により認証情報が入力され、通信部４２により、入力部４１により入力された認証情報及びカルテ情報の閲覧要求が管理サーバ（例えば、第２管理サーバ３）に送信され、通信部４２により、管理サーバ（第１管理サーバ２、第２管理サーバ３）から送信されたカルテ情報が受信され、表示部４３により、通信部４２により受信されたカルテ情報が閲覧される。また、管理サーバ（第１管理サーバ２、第２管理サーバ３）において、カルテ情報ＤＢ２２により、認証を行うためのユーザ情報とカルテ情報とが対応付けて記憶され、処理部３４により、通信部４２により送信された認証情報と記憶手段により記憶されたユーザ情報とに基づいてユーザの認証が行われ、処理部２５により、処理部３４によりユーザが認証された場合に、カルテ情報の閲覧要求に基づいて、当該ユーザのカルテ情報がカルテ情報ＤＢ２２から取得され、カルテ情報送信手段（通信部２１、通信部３１）により、処理部２５により取得された当該ユーザのカルテ情報がクライアント装置４に送信される。さらに、カルテ情報には、当該ユーザのレッスンカルテの内容及びゴルフスイングの動画情報が含まれる。
すなわち、クライアント装置４においてユーザがカルテ情報の閲覧要求を行うと、管理サーバからカルテ情報をダウンロードして閲覧することができるため、場所的、時間的な制約無しにカルテ情報の閲覧が可能となる。また、このカルテ情報には、ユーザのレッスンカルテの内容とゴルフスイングの動画情報が含まれているため、ユーザは、動画を見ながらカルテを参照することで、どこをどのように改善すべきか等の改善点をよりスムーズに理解することができ、指導側にとっても動画を用いてより容易且つ的確に指導を行うことができる。したがって、本発明のゴルフレッスン支援システムＳを用いることで、ゴルフスクール等で行われるゴルフレッスンをより効率的、効果的に行うことが可能となる。
【００２１】
また、管理サーバには、第１管理サーバ２と、第１管理サーバ２にＶＰＮ接続されるとともに、クライアント装置４とインターネット接続される第２管理サーバ３と、が備わり、第１管理サーバ２には、ユーザ情報とカルテ情報とが対応付けて記憶され、第２管理サーバ３は、ユーザ情報が記憶される。
したがって、第１管理サーバ２と第２管理サーバ３はＶＰＮにより接続されているため、セキュリティ性が向上することとなる。また、クライアント装置４から第２管理サーバ３に認証情報を送信することにより、カルテ情報を有する第１管理サーバ２にアクセスせずとも、第２管理サーバ３において認証を行うことができ、セキュリティ性を更に高めることができる。
【００２２】
また、カルテ作成部１２により、複数のレッスン項目から選択された選択レッスン項目に対応するカルテ情報が作成される。したがって、ユーザが習得したい選択レッスン項目を選択することにより、各選択レッスン項目の技術要素を段階的に習得してゴルフの上達を図ることができる。
【００２３】
なお、本発明の範囲は、上記実施形態に限られることなく、本発明の趣旨を逸脱しない範囲において、種々の改良並びに設計の変更を行っても良い。
例えば、クライアント装置４と本社クライアント１とは、一つの装置に一体的に備わっていても良い。また、カルテ情報に使用される動画データは、本社クライアント１の撮像部１１により撮像された画像に限られず、クライアント装置４から入力された画像であっても良い。
【図面の簡単な説明】
【００２４】
【図１】本実施形態のゴルフレッスン支援システムを構成するクライアント装置、第１管理サーバ、第２管理サーバ、本社クライアントの要部構成を示すブロック図である。
【図２】本ゴルフレッスン支援システムを用いたゴルフレッスンの提供の流れを示すフローチャートである。
【図３】本ゴルフレッスン支援システムにおいて行われるカルテ情報の作成・保存・閲覧の流れを示すフローチャートである。
【図４】本ゴルフレッスン支援システムにおいて行われるカルテ情報の作成・保存・閲覧の流れを示すフローチャートである。
【図５】選択可能な選択レッスン項目について説明する図である。
【図６】カルテ作成部により作成され、クライアント装置において閲覧されるカルテ情報を例示する図である。
【符号の説明】
【００２５】
Ｓ        ゴルフレッスン支援システム
１２      カルテ作成部（作成手段）
２        第１管理サーバ（管理サーバ）
２１      通信部（カルテ情報送信手段）
２２      カルテ情報ＤＢ（記憶手段）
２５      処理部（取得手段）
３        第２管理サーバ（管理サーバ）
３１      通信部（カルテ情報送信手段）
３４      処理部（認証手段）
４        クライアント装置
４１      入力部（入力手段）
４２      通信部（送信手段、受信手段）
【図１】
2009268764.tif 000003
【図２】
2009268764.tif 000004
【図３】
2009268764.tif 000005
【図４】
2009268764.tif 000006
【図５】
2009268764.tif 000007
【図６】
2009268764.tif 000008